(57)【要約】【課題】長尺状のテープの切断時に、テープカセットの収納部を覆うカバー体が開けられた場合には、切断手段を瞬時に停止することが可能なテープ印刷装置を提供する。【解決手段】カッター駆動回路７５とカッターモータ５５とを接続する２本の配線のうち一方の配線１１１のカッター駆動回路７５側の端子は、公知の２接点の機械的スイッチで構成されたノーマルＡ選択のカバースイッチ４００の他方のＢ側の端子に接続されている。そして、この配線１１１のカッターモータ５５側の端子は、カバースイッチ４００のコモン端子（Ｃ側の端子である。）に接続されている。また、カッター駆動回路７５とカッターモータ５５とを接続する２本の配線のうち他方の配線１１２が接続されるカッターモータ５５の端子は、ノーマルＡ選択のカバースイッチ４００のＡ側の端子に接続されている。【選択図】図１２
2008213405.tif 000002
【特許請求の範囲】
【請求項１】
装置本体内に形成されてテープカセットが収納されるカセット収納部と、
前記カセット収納部を覆うように開閉可能に取り付けられるカバー体と、
前記テープカセット内に収納された長尺状のテープを搬送する搬送手段と、
前記カセット収納部に配置されて前記搬送手段を介して搬送されたテープを幅方向に切断する切断手段と、
前記切断手段の駆動を制御する切断制御手段と、を備えたテープ印刷装置において、
前記切断手段を駆動するカッター駆動モータと、
前記カッター駆動モータを駆動するモータ駆動回路と、
前記カバー体が閉じられた場合には、前記カッター駆動モータと前記モータ駆動回路とを電気的に接続し、該カバー体が開けられた場合には、該カッター駆動モータと該モータ駆動回路との電気的接続を遮断すると共に、該カッター駆動モータの端子間を短絡させるように前記切断制御手段を介さずに切り替える切替手段と、
を備えたことを特徴とするテープ印刷装置。
【請求項２】
電源スイッチと、
前記切断手段に異常があることを報知する報知手段と、
前記カッター駆動モータの駆動を開始してから所定時間経過するまで前記切断手段が切断待機状態になっているか否かを判定する切断状態判定手段と、
前記カッター駆動モータの駆動を開始してから所定時間経過するまで前記切断手段が切断待機状態になっている場合には、前記報知手段を介して該切断手段に異常があることを報知後、前記電源スイッチを介して電源を遮断するように制御する電源制御手段と、
を備えたことを特徴とする請求項１に記載のテープ印刷装置。
【請求項３】
電源スイッチと、
前記切断手段に異常があることを報知する報知手段と、
前記カッター駆動モータの駆動を開始してから所定時間経過するまでに前記切断手段が切断待機状態に戻ったか否かを判定する切断終了判定手段と、
前記カッター駆動モータの駆動を開始してから所定時間経過するまでに前記切断手段が切断待機状態に戻らない場合には、前記報知手段を介して該切断手段に異常があることを報知後、前記電源スイッチを介して電源を遮断するように制御する電源制御手段と、
を備えたことを特徴とする請求項１に記載のテープ印刷装置。
【請求項４】
前記電源スイッチを介して電源が入力された時に前記切断手段が切断待機状態になっているか否かを判定する電源入力時判定手段と、
前記電源スイッチを介して電源が入力された時に前記切断手段が切断待機状態になっていない場合には、前記カッター駆動モータの駆動を開始してから所定時間経過するまでに前記切断手段が切断待機状態に戻ったか否かを判定する復帰状態判定手段と、
を備え、
前記切断制御手段は、前記電源スイッチを介して電源が入力された時に前記切断手段が切断待機状態になっていない場合には、前記カッター駆動モータの駆動を開始するように制御すると共に、該カッター駆動モータの駆動を開始してから所定時間経過するまでに前記切断手段が切断待機状態に戻った場合には、該カッター駆動モータの駆動を停止するように制御することを特徴とする請求項２又は請求項３に記載のテープ印刷装置。
【請求項５】
印字データを入力又は編集する複数の入力キーを備え、
前記電源制御手段は、前記報知手段を介して前記切断手段に異常があることを報知後、前記複数の入力キーのうちのいずれかの入力キーが押下された場合に、前記電源スイッチを介して電源を遮断するように制御することを特徴とする請求項２乃至請求項４のいずれかに記載のテープ印刷装置。
【請求項６】
前記電源制御手段は、前記報知手段を介して前記切断手段に異常があることを報知後、更に所定時間経過した後に、前記電源スイッチを介して電源を遮断するように制御することを特徴とする請求項２乃至請求項４のいずれかに記載のテープ印刷装置。
【請求項７】
前記切替手段は、２接点の機械的スイッチで構成されることを特徴とする請求項１乃至請求項６のいずれかに記載のテープ印刷装置。
【発明の詳細な説明】
【技術分野】
【０００１】
本発明は、長尺状のテープを幅方向に切断する切断手段を備えたテープ印刷装置に関するものである。
【背景技術】
【０００２】
従来より、長尺状の被記録媒体を幅方向に切断する切断手段を備えたテープ印刷装置等の各種印刷装置に関して種々提案されている。
例えば、プラテン上を移動して長尺状の被記録媒体を幅方向に切断するカッタユニットが待機位置に位置する場合にオンになり、このカッタユニットが待機位置に位置しない場合にはオフになる第１のセンサと、このカッタユニットが移動する範囲を覆うカバー体が用紙押さえ位置にある場合にオンになり、このカバー体が用紙押さえ位置にない場合にオフになる第２センサと、この第１のセンサと第２のセンサとが接続されるコントローラと、を備え、コントローラは、第１のセンサと第２のセンサとがオフになった場合には、被記録媒体の切断を停止するように制御する印刷装置がある（例えば、特許文献１参照。）。
【特許文献１】特開平５−１６９８８８号公報（段落（０００６）〜（００２８）、図１〜図８）
【発明の開示】
【発明が解決しようとする課題】
【０００３】
しかしながら、上述した特許文献１に記載された印刷装置では、被記録媒体の切断中にカバー体が開放された際に、被記録媒体の切断を停止するためには、コントローラが第１のセンサと第２のセンサとがオフになったことを検出する必要がある。このため、用紙切断プログラムが停止するまでに、タイムラグが発生し、瞬時にカッタユニットの移動を停止させることができないという問題がある。
【０００４】
そこで、本発明は、上述した問題点を解決するためになされたものであり、長尺状のテープの切断時に、テープカセットの収納部を覆うカバー体が開けられた場合には、切断手段を瞬時に停止することが可能なテープ印刷装置を提供することを目的とする。
【課題を解決するための手段】
【０００５】
前記目的を達成するため請求項１に係るテープ印刷装置は、装置本体内に形成されてテープカセットが収納されるカセット収納部と、前記カセット収納部を覆うように開閉可能に取り付けられるカバー体と、前記テープカセット内に収納された長尺状のテープを搬送する搬送手段と、前記カセット収納部に配置されて前記搬送手段を介して搬送されたテープを幅方向に切断する切断手段と、前記切断手段の駆動を制御する切断制御手段と、を備えたテープ印刷装置において、前記切断手段を駆動するカッター駆動モータと、前記カッター駆動モータを駆動するモータ駆動回路と、前記カバー体が閉じられた場合には、前記カッター駆動モータと前記モータ駆動回路とを電気的に接続し、該カバー体が開けられた場合には、該カッター駆動モータと該モータ駆動回路との電気的接続を遮断すると共に、該カッター駆動モータの端子間を短絡させるように前記切断制御手段を介さずに切り替える切替手段と、を備えたことを特徴とする。
【０００６】
また、請求項２に係るテープ印刷装置は、請求項１に記載のテープ印刷装置において、電源スイッチと、前記切断手段に異常があることを報知する報知手段と、前記カッター駆動モータの駆動を開始してから所定時間経過するまで前記切断手段が切断待機状態になっているか否かを判定する切断状態判定手段と、前記カッター駆動モータの駆動を開始してから所定時間経過するまで前記切断手段が切断待機状態になっている場合には、前記報知手段を介して該切断手段に異常があることを報知後、前記電源スイッチを介して電源を遮断するように制御する電源制御手段と、を備えたことを特徴とする。
【０００７】
また、請求項３に係るテープ印刷装置は、請求項１に記載のテープ印刷装置において、電源スイッチと、前記切断手段に異常があることを報知する報知手段と、前記カッター駆動モータの駆動を開始してから所定時間経過するまでに前記切断手段が切断待機状態に戻ったか否かを判定する切断終了判定手段と、前記カッター駆動モータの駆動を開始してから所定時間経過するまでに前記切断手段が切断待機状態に戻らない場合には、前記報知手段を介して該切断手段に異常があることを報知後、前記電源スイッチを介して電源を遮断するように制御する電源制御手段と、を備えたことを特徴とする。
【０００８】
また、請求項４に係るテープ印刷装置は、請求項２又は請求項３に記載のテープ印刷装置において、前記電源スイッチを介して電源が入力された時に前記切断手段が切断待機状態になっているか否かを判定する電源入力時判定手段と、前記電源スイッチを介して電源が入力された時に前記切断手段が切断待機状態になっていない場合には、前記カッター駆動モータの駆動を開始してから所定時間経過するまでに前記切断手段が切断待機状態に戻ったか否かを判定する復帰状態判定手段と、を備え、前記切断制御手段は、前記電源スイッチを介して電源が入力された時に前記切断手段が切断待機状態になっていない場合には、前記カッター駆動モータの駆動を開始するように制御すると共に、該カッター駆動モータの駆動を開始してから所定時間経過するまでに前記切断手段が切断待機状態に戻った場合には、該カッター駆動モータの駆動を停止するように制御することを特徴とする。
【０００９】
また、請求項５に係るテープ印刷装置は、請求項２乃至請求項４のいずれかに記載のテープ印刷装置において、印字データを入力又は編集する複数の入力キーを備え、前記電源制御手段は、前記報知手段を介して前記切断手段に異常があることを報知後、前記複数の入力キーのうちのいずれかの入力キーが押下された場合に、前記電源スイッチを介して電源を遮断するように制御することを特徴とする。
【００１０】
また、請求項６に係るテープ印刷装置は、請求項２乃至請求項４のいずれかに記載のテープ印刷装置において、前記電源制御手段は、前記報知手段を介して前記切断手段に異常があることを報知後、更に所定時間経過した後に、前記電源スイッチを介して電源を遮断するように制御することを特徴とする。
【００１１】
更に、請求項７に係るテープ印刷装置は、請求項１乃至請求項６のいずれかに記載のテープ印刷装置において、前記切替手段は、２接点の機械的スイッチで構成されることを特徴とする。
【発明の効果】
【００１２】
請求項１に係るテープ印刷装置では、カバー体が、テープカセットが収納されるカセット収納部を覆うように開閉可能に取り付けられている。そして、このカバー体が閉じられた場合には、搬送されたテープを幅方向に切断する切断手段を駆動するカッター駆動モータと、このカッター駆動モータを駆動するモータ駆動回路とが、切断制御手段を介さずに切替手段によって電気的に接続される。また、このカバー体が開けられた場合には、該カッター駆動モータと該モータ駆動回路との電気的接続が、切断制御手段を介さずに切替手段によって遮断されると共に、該カッター駆動モータの端子間が、切断制御手段を介さずに切替手段によって短絡される。
これにより、カセット収納部を覆うようにカバー体を閉じることによって、カッター駆動モータを駆動することが可能となり、搬送手段を介して搬送されたテープを幅方向に切断することができる。また、テープの切断時に、このカバー体が開けられた場合には、カッター駆動モータと該モータ駆動回路との電気的接続が、切断制御手段を介さずに切替手段によって遮断される。それとともに、該カッター駆動モータの端子間が、切断制御手段を介さずに切替手段によって短絡される。このため、テープの切断時に、カバー体が開けられた場合には、切断手段を瞬時に停止することが可能となる。
【００１３】
また、請求項２に係るテープ印刷装置では、カッター駆動モータの駆動を開始してから所定時間経過するまで、切断手段が切断待機状態になっている場合には、報知手段を介して該切断手段に異常があることが報知された後、電源スイッチを介して電源が遮断される。
これにより、カバー体が開けられた状態のままで、テープの切断を開始した場合には、切断手段が切断待機状態になっていても、カッター駆動モータとモータ駆動回路との電気的接続が遮断されている。このため、カッター駆動モータの駆動を開始してから所定時間経過しても、切断手段が切断待機状態になっている場合には、報知手段を介して該切断手段に異常があることをユーザへ報知後、電源を遮断できる。即ち、カバー体が開けられた状態のままであるため切断できないことをユーザへ報知後、電源を遮断できる。従って、ユーザに対してカバー体を閉じるように促した後、電源を遮断できる。
【００１４】
また、請求項３に係るテープ印刷装置では、カッター駆動モータの駆動を開始してから所定時間経過するまでに、切断手段が切断待機状態に戻らない場合には、報知手段を介して該切断手段に異常があることを報知後、電源スイッチを介して電源が遮断される。
これにより、カバー体がテープ切断中に開けられたために、カッター駆動モータとモータ駆動回路との電気的接続が遮断されている。そして、カッター駆動モータの駆動を開始してから所定時間経過しても、切断手段が切断待機状態に戻らない。このため、カッター駆動モータの駆動を開始してから所定時間経過するまでに、切断手段が切断待機状態に戻らない場合には、報知手段を介して該切断手段に異常があることをユーザへ報知後、電源を遮断できる。即ち、カバー体がテープ切断中に開けられた状態のままであるため切断できないことをユーザへ報知後、電源を遮断できる。従って、ユーザに対してカバー体を閉じるように促した後、電源を遮断できる。
【００１５】
また、請求項４に係るテープ印刷装置では、電源スイッチを介して電源が入力された時に、切断手段が切断待機状態になっていない場合には、切断制御手段は、カッター駆動モータの駆動を開始する。そして、切断制御手段は、カッター駆動モータの駆動を開始してから所定時間経過するまでに切断手段が切断待機状態に戻った場合には、該カッター駆動モータの駆動を停止する。
これにより、テープ切断中にカバー体が開けられた後、このカバー体が閉じられて電源スイッチを介して電源が入力された場合には、切断手段を確実に切断待機状態に戻すことが可能となる。
【００１６】
また、請求項５に係るテープ印刷装置では、報知手段を介して切断手段に異常があることが報知された後、印字データを入力又は編集する複数の入力キーのうちのいずれかの入力キーが押下された場合に、電源スイッチを介して電源が遮断される。
これにより、ユーザが、報知手段によって報知された切断手段に異常があることを認識したことを、いずれかの入力キーの押下によって確実に確認した後、電源を遮断することが可能となる。
【００１７】
また、請求項６に係るテープ印刷装置では、報知手段を介して切断手段に異常があることを報知後、更に所定時間経過した後に、電源スイッチを介して電源が遮断される。
これにより、ユーザが、報知手段によって報知された切断手段に異常があることを確認可能な時間を確実に確保した後、電源を遮断することが可能となる。
【００１８】
更に、請求項７に係るテープ印刷装置では、切替手段は、２接点の機械的スイッチで構成されている。これにより、切替手段を簡易に構成することができ、製造コストの削減化を図ることが可能となる。
【発明を実施するための最良の形態】
【００１９】
以下、本発明に係るテープ印刷装置について、本発明を具体化した実施例１及び実施例２に基づき図面を参照しつつ詳細に説明する。
【実施例１】
【００２０】
先ず、実施例１に係るテープ印刷装置１の概略構成について図１乃至図１０に基づいて説明する。
図１はテープ印刷装置１の概略平面図を示している。図１に示すように、本体１Ａの上面一側には、後述するテープカセット２を収納するためのカセット収納部３を覆うカバー体４が開閉自在に設けられている。また、本体１Ａの上面には、文字等を入力するためのキーボード５、各種操作用スイッチパネル６、及び入力された文字や操作指示を表示するための液晶表示器７等が配置され、本体１Ａ内には後述する機械的機構部及び制御のための制御回路部等が内蔵されている。
【００２１】
図２は本発明のテープカセット２の蓋体を除いた平面図を示している。図２に示すように、テープカセット２には印字用テープ８とインクリボン９とが搭載されており、テープスプール１０に巻回されたレセプタタイプの印字用テープ８は、後述するテープ搬送手段により４つのコロ１１に案内されて放出部１２からサーマルヘッド１３Ａ（図１２参照）等の印字部１３（図４参照）を経て搬送されるように構成されている。また、リボンスプール１５に巻回されたインクリボン９は、テープカセット２のケース本体側に穿設した開口部１８から臨むホトインタラプタ等の検出手段１６（図４参照）に対する検出経路を経て前記放出部１２から印字部１３の箇所で印字用テープ８と略平行状に添設され、リボン巻取りスプール１７にて巻き取られるように構成されている。
【００２２】
また、図３はテープカセット２に内蔵した印字用テープ８の種類等を検出する機構を示す断面図である。図３に示すように、テープカセット２には、これに搭載されるインクリボン９のインクの色、印字用テープ８の種類（正像印字するレセプタタイプと鏡像印字するラミネートタイプとがある）、印字用テープ８の幅寸法等により予め位置設定された６個の被検出部３０１ａ〜３０１ｆを備えたセンサパーツ３０１が取付けられ（図３参照）、本体１Ａ側に設けた検出スイッチ３００ａ〜３００ｆ（図３には、３００ａ，３００ｂを図示しない）にて検出できるよう構成されている。この場合、各検出スイッチ３００ａ〜３００ｆのＯＮに対応する部分ではセンサパーツ３０１側の穴が塞がれており、ＯＦＦに対応する部分では穴が開いた状態であり、図３では、検出スイッチ３００ｃ，３００ｆがＯＮ、３００ｄ，３００ｅがＯＦＦになっている。また、テープカセット２にはテープ搬送手段の一部品としてテープ送りローラ１９が備えられている。
【００２３】
次に、図４、図５、図６を参照しながらテープ印刷装置１の本体１Ａ側に設けたテープ搬送手段やインクリボンの巻き取り手段等の連動機構部の構成について説明する。
図４は本体１Ａ内の機械的機構部の平面図である。図５はプラテンホルダをリリースした状態の平面図である。図６はカバー体４を開いた状態の側断面図である。
尚、レセプタタイプの印字用テープ８では、インクリボン９と対面する表面に印字され、印字用テープ８の裏面側には接着剤層が予め塗布され、この接着剤層に離型テープを仮接着している。
【００２４】
まず、印字用テープ８の搬送手段及びインクリボン９の巻取り手段の構成について説明する。本体１Ａ内のフレーム２０には、前記テープスプール１０の内径部に嵌合できるテープ逆転駆動カム２１と、リボン巻取りスプール１７の内径部に嵌合するリボン駆動カム２２と、テープ送りローラ１９の内径部に嵌合するテープ駆動カム２３と、サーマルヘッド１３Ａ等の印字部１３が各々立設され、正逆回転可能なテープ駆動モータ２４の回転力は、ギヤ列８０、８１、８２、８３、８４、８５、８６、８７、８８を介してテープ駆動カム２３に伝達される。
【００２５】
そして、テープカセット２を本体１Ａに装着し、印字用テープ８をテープカセット２から放出する方向に搬送（順方向に搬送）しながら印字動作するときには、後述するプラテン２５が印字用テープ８とインクリボン９とを挟むように印字部１３に押圧し、且つ押圧ローラ２６に印字済みの印字用テープ８を挟むようにテープ送りローラ１９の表面に接近させ、テープ駆動モータ２４を正回転（図４において時計方向、矢印Ａ方向）させる。このとき、ギヤ列８０〜８８、８９を介して後述するプラテンギヤ９０に伝達される。同時に、ギヤ８５が図４において反時計方向に回転するので、これに同心的に固着された揺動アーム９１は反時計方向に回転し、該揺動アーム９１に取付けられてギヤ８５に噛み合う遊星ギヤ９２がリボン駆動カム２２にクラッチばね（図示せず）を介して連結されたリボン駆動ギヤ９３を図４の反時計周りに回転させてインクリボン９をリボン巻取りスプール１７に巻き取る。この場合、リボン巻取りスプール１７に巻き取られる直径が増大するとインクリボン９の単位時間当たりの巻取り量が増大するが、早い速度で回転するリボン駆動ギヤ９３からクラッチばねを介してスリップさせつつリボン駆動カム２２を回転させることにより、インクリボン９の巻き緩みを防止している。また、押圧ローラ２６の一側に設けた噛み合いギヤ９６はギヤ８８と噛み合い、テープ送りローラ１９と押圧ローラ２６とが同期して回転する。
【００２６】
他方、印字動作を一時中断して印字用テープ８を巻き戻すとき（逆搬送のとき）には、インクリボン９は非回転とし、且つ押圧ローラ２６とテープ送りローラ１９とで印字用テープ８を挟持した状態で逆搬送すべく、テープ駆動カム２３及びテープ逆転駆動カム２１を図５の反時計方向に回転させるため、テープ駆動モータ２４を逆回転（図５において反時計方向、矢印Ｂ方向）させる。こうすると、ギヤ８５は図５において反時計方向に回転するので、これに同心的に固着された揺動アーム９１は時計方向に回転し、該揺動アーム９１に取付けられてギヤ８５に噛み合う遊星ギヤ９２がアイドラギヤ９４を介して逆転ギヤ９５を時計方向に回転させ、これにクラッチばね（図示せず）を介して連結されたテープ逆転駆動カム２１を逆回転させて印字用テープ８をテープスプール１０に巻き取る（巻き戻す）。この場合、印字部１３に対してプラテン２５は離間させておくものである。
【００２７】
次に、図６乃至図９を参照して、前記テープカセット２を本体１Ａに対して脱着するに際してのプラテン２５及び押圧ローラ２６の連動機構部について説明する。図７はカバー体４の動作とプラテンホルダ３０及び押圧ホルダ３１の連動機構部の平面図である。図８はカバー体４を閉じた状態の側断面図である。図９は図８のIX−IX矢視図である。
図６乃至図９に示すように、プラテン２５を装着したプラテンホルダ３０及び押圧ローラ２６を装着した押圧ホルダ３１はそれぞれフレーム２０に枢支軸３２、３３に回動可能に連結されており、各プラテンホルダ３０、押圧ホルダ３１には、前記フレーム２０の裏面（下面）に配設した断面Ｌ字状のプラテン用作動レバー３４及びローラ用作動レバー３５の立ち上がり先端部３４ａ、３５ａがそれぞれ臨む開口穴３０ａ、３１ａが穿設されている。また前記各開口穴３０ａ、３１ａ内には前記各先端部３４ａ、３５ａの片面（押圧面側）に当接する突起３０ｂ、３１ｂが一体的に形成されている。
【００２８】
前記プラテンホルダ３０及び押圧ホルダ３１は、フレーム２０の裏面に平行状に移動可能となるように配置され、フレーム２０に軸３６を介して回動自在に枢支された連動レバー３７の下端取付け部３７ａに引張りばね３８、３９を介して連結されている。前記テープカセット２のカセット収納部３を覆うカバー体４の閉じた状態において（図８参照）、当該カバー体４内面に突設した当接部４ａに連動レバー３７の背面が押されて直立状に規制されて、両作動レバー３４、３５により、プラテンホルダ３０を介してプラテン２５が印字部１３の表面に押圧され、また、押圧ホルダ３１を介して押圧ローラ２６がテープ送りローラ１９の表面に押圧される。
【００２９】
一方、カバー体４が蝶番ピン４１の箇所を中心にして開くとき、当接部４ａとの規制が解除された連動レバー３７は図６のごとく回動し、前記引張りばね３８、３９による付勢力を緩める。一方、この連動レバー３７は前記軸３６に遊嵌させて係止したねじりコイルバネ４０の付勢力にて図６の状態に回動するとき、下端取付け部３７ａの前面が両作動レバー３４、３５の他端３４ｂ、３５ｂ（図７参照）を押し、プラテンホルダ３０及び押圧ホルダ３１の各立ち上がり先端部３４ａ、３５ａが開口穴３０ａ、３１ａを押してプラテンホルダ３０及び押圧ホルダ３１が各々プラテン２５、押圧ローラ２６から離間する方向に強制的に回動するように構成されている。
【００３０】
また、図８に示すように、カバー体４の閉じた状態において、連動レバー３７が直立状に規制された場合には、下端取付け部３７ａによって押下されるカバースイッチ４００が本体１Ａ側に配設されている。また、このカバースイッチ４００は、公知の２接点の機械的スイッチで構成され、カバー体４が閉じられて、連動レバー３７の下端取付け部３７ａにて押下された場合には、Ｂ選択状態（図１２参照）になる。一方、このカバースイッチ４００は、図６に示すように、カバー体４が開けられて、連動レバー３７が図６の状態に回動した場合には、Ａ選択状態（図１２参照）になる。即ち、カバースイッチ４００は、ノーマルＡ選択の２接点の機械的切り替えスイッチである。
そして、後述のように、カバースイッチ４００がＢ選択状態の場合には、カッターモータ５５が駆動可能な状態になり、カバースイッチ４００がＡ選択状態の場合には、カッターモータ５５の端子間が短絡されるように構成されている（図１２参照）。
【００３１】
また、図４及び図５に示すように、プラテンホルダ３０には、軸４５を介してプラテン連動レバー４６の一端が回動可能に軸支されている。このプラテン連動レバー４６は、フレーム２０の曲げ起こし部２０ａと、カム４７とに挟まれて平行移動のみ可能となるように移動範囲が規制されている。このカム４７はフレーム２０に取り付くプラテン作動モータ４８からギヤ列４９を介して一方向（正面視反時計方向）に回転するものであり、カム４７の端面に対して前記プラテン作動レバー４６の他端を折曲げた当接部４６ａを臨ませ、該カム４７の所定回動位相位置にてプラテン作動レバー４６を図５の右方向に引張ってプラテンホルダ３０が印字部１３から離間するように構成されている。
【００３２】
また、カム４７の回転位相は、リリーフスイッチ５０（図１１参照）のＯＮ・ＯＦＦにて検出されるように構成されている。即ち、図７に示すプラテンホルダ３０の圧接状態では、カム４７と一体的に回転するセンサ板５１の端面がリリーフスイッチ５０と当接せず、ＯＦＦ状態である。一方向にのみ回転するプラテン作動モータ４８が、正面視反時計方向に回転し、カム４７が時計方向に回転するにつれて、当該カム４７の端面にてプラテン作動レバー４６の他端を図５の右方向に押圧して、プラテンホルダ３０は印字部１３から離間するのであり、このとき、リリーフスイッチ５０がＯＮとなって、プラテン作動モータ４８を停止させる。
【００３３】
これにより、テープ印刷装置１を使用しない状態では、プラテン２５が印字部１３から離間した状態を保持して、ゴム製等の柔らかいプラテン２５が印字部１３の表面に押圧されて永久変形するのを防止している。逆に、プラテンホルダ３０が離間状態から圧接状態に移る途中段階では、リリーフスイッチ５０がＯＮ状態を保持し、完全に圧接状態となって初めてＯＦＦ状態となる。
【００３４】
従って、カム４７の回転によりプラテンホルダ３０を離間方向にのみ作動させる一方、カバー体４の開閉動作に応じて引張りばね３８、３９及びプラテン用作動レバー３４、押圧用作動レバー３５を介してプラテンホルダ３０及び押圧ホルダ３１を接離方向に回動させる構成であるから、プラテン作動モータ４８の作動にてプラテンホルダ３０が圧接状態または離間状態の如何に拘らず、カバー体４を開くと、プラテンホルダ３０及び押圧ホルダ３１は、優先的に離間状態に強制移動させられるので、使用者はカセット２の交換を随時実行することができる。
【００３５】
次に、図４及び図１０を参照しながら、印字用テープ８の切断機構５２について説明する。図１０は印字用テープ８の切断機構の正面図である。
図４及び図１０に示すように、切断機構５２は固定刃５３と可動刃５４と、該可動刃５４の駆動手段であるカッターモータ５５とからなり、フレーム２０の立ち上がり部２０ｂに固定刃５３を固定する一方、これに隣接して可動刃５４を支軸５６周りに回動可能に枢着し、バネ座金５７にて固定刃５３側面方向に付勢する。カッターモータ５５にてギヤ列５８を介して円盤状の作動板６０を一方向に回転させる。この作動板６０の片面に突出する係合ピン６１を、前記可動刃５４の基部から延びる連結片６２の二股部に摺動自在に係合させ、作動板６０の１回転にて可動刃５４が開いた状態（図１０の実線状態参照）から一旦閉じて（図１０の二点鎖線参照）、再度開いた状態、即ち、再度原点位置に戻るように構成されており、作動板６０の一側端の切欠き部６０ａに原点位置スイッチ６３が当接する位置にてＯＦＦとなり、可動刃５４が開いた状態、即ち、可動刃５４が原点位置で停止すべくカッターモータ５５が停止する。
【００３６】
次に、上記のように構成されたテープ印刷装置１の回路構成について図１１及び図１２に基づき説明する。図１１はテープ印刷装置１の制御構成を示すブロック図である。図１２はカッターモータ５５を駆動する回路構成を模式的に示す図である。
図１１に示すように、テープ印刷装置１の制御回路部１０１は、ＣＰＵ１０２、ＣＧ（キャラクタジェネレータ）ＲＯＭ１０３、ＲＯＭ１０４、フラッシュメモリ（ＥＥＰＲＯＭ）１０５、ＲＡＭ１０６、入出力インターフェース（Ｉ／Ｆ）１０７、及び、時間を計測するタイマ１０８等を備えている。また、ＣＰＵ１０２、ＣＧＲＯＭ１０３、ＲＯＭ１０４、フラッシュメモリ１０５、ＲＡＭ１０６、入出力インターフェース（Ｉ／Ｆ）１０７、及びタイマ１０８は、バス線１０９により相互に接続されて、相互にデータのやり取りが行われる。
【００３７】
ここに、ＣＧＲＯＭ１０３には各キャラクタに対応するドットパターンデータが記憶されている。
また、ＲＯＭ１０４は各種のプログラムを記憶させておくものであり、テープ印刷装置１の制御上必要な各種のプログラムが記憶されている。そして、ＣＰＵ１０２はかかるＲＯＭ１０４に記憶されている各種のプログラムに基づいて各種の演算を行なうものである。また、ＲＯＭ１０４には、多数の文字等のキャラクタのそれぞれについて、各キャラクタの輪郭線を規定する輪郭線データ（アウトラインデータ）が各書体（ゴシック系書体、明朝体系書体等）毎に分類されてコードデータに対応して記憶されている。このアウトラインデータに基づいてドットパターンデータが印字バッファ１０６Ａ上に展開される。
【００３８】
また、フラッシュメモリ（ＥＥＰＲＯＭ）１０５は、キーボード５等によって入力した外字データ等のドットパターンデータや各種図柄データのドットパターンデータ等に登録番号を付して記憶させておくものであり、テープ印刷装置１の電源をＯＦＦにしても記憶内容を保持している。
また、ＲＡＭ１０６は、ＣＰＵ１０２により演算された各種の演算結果を一時的に記憶させておくためのものであり、印字バッファ１０６Ａ、ワーク領域１０６Ｂ等の各種のメモリが設けられている。また、印字バッファ１０６Ａには、複数の文字や記号等の印字用ドットパターンや各ドットの形成エネルギ量である印加パルス数等がドットパターンデータとして格納され、サーマルヘッド１３Ａはかかる印字バッファ１０６Ａに記憶されているドットパターンデータに従ってドット印字を行う。
【００３９】
また、入出力Ｉ／Ｆ１０７には、テープカセット２の種類を検出する各検出スイッチ３００ａ〜３００ｆ、プラテン作動モータ４８にて回転されるカム４７の回転位相、即ち、プラテンホルダ３０の作動位置を検出するリリーフスイッチ５０、カッターモータ５５にて回転される作動板６０の原点位置、即ち、可動刃５４の原点位置を検出する原点位置スイッチ６３がそれぞれ接続されている。また、入出力Ｉ／Ｆ１０７には、サーマルヘッド１３Ａを駆動するためのヘッド駆動回路７１、テープ駆動モータ２４を駆動するためのテープ駆動回路７３、カッターモータ５５を駆動するためのカッター駆動回路７５、プラテン作動モータ４８を駆動するためのプラテン駆動回路７７、液晶表示器（ＬＣＤ）７、及び、電源スイッチ７８がそれぞれ接続されている。
【００４０】
また、図１２に示すように、ＣＰＵ１０２は、電源に接続されるレギュレータ９８を介して約ＤＣ５Ｖの電源が供給される。そして、ＣＰＵ１０２からヘッド駆動回路７１にドットパターンデータが出力され、ヘッド駆動回路７１はかかるドットパターンデータに基づいてサーマルヘッド１３Ａを駆動する。
【００４１】
また、ＣＰＵ１０２はカッター駆動回路７５に対して、２ビットの信号を出力する。そして、カッター駆動回路７５はかかる２ビットの信号に基づいてＤＣモータ等で構成されるカッターモータ５５を駆動する。
例えば、ＣＰＵ１０２からカッター駆動回路７５に対して「００」の２ビットの信号が出力された場合には、カッター駆動回路７５はカッターモータ５５を待機状態、即ち、駆動しない。また、ＣＰＵ１０２からカッター駆動回路７５に対して「０１」の２ビットの信号が出力された場合には、カッター駆動回路７５はカッターモータ５５を正回転させる。また、ＣＰＵ１０２からカッター駆動回路７５に対して「１０」の２ビットの信号が出力された場合には、カッター駆動回路７５はカッターモータ５５を逆回転させる。更に、ＣＰＵ１０２からカッター駆動回路７５に対して「１１」の２ビットの信号が出力された場合には、カッター駆動回路７５はカッターモータ５５にブレーキをかけて停止させる、即ち、駆動電圧の印加を停止し、カッターモータ５５の端子間を短絡状態にする。
【００４２】
また、カッター駆動回路７５とカッターモータ５５とを接続する２本の配線のうち一方の配線１１１の途中には、公知の２接点の機械的スイッチで構成されたノーマルＡ選択のカバースイッチ４００が配置されている。そして、この配線１１１のカッター駆動回路７５側の端子は、カバースイッチ４００のＢ側の端子に接続されている。また、この配線１１１のカッターモータ５５側の端子は、カバースイッチ４００のコモン端子（図１２中、Ｃ側の端子である。）に接続されている。従って、配線１１１は、このカバースイッチ４００を介してカッター駆動回路７５端子とカッターモータ５５の端子とを接続している。
また同時に、カッター駆動回路７５とカッターモータ５５とを接続する２本の配線のうち他方の配線１１２が接続されるカッターモータ５５の端子は、このノーマルＡ選択のカバースイッチ４００のＡ側の端子に接続されている。
【００４３】
そして、図１２に示すように、このカバースイッチ４００がＢ選択状態（矢印２００方向である。）の場合、即ち、上記のように、カバー体４が閉じられて、連動レバー３７の下端取付け部３７ａがカバースイッチ４００を押下した場合には、カッター駆動回路７５とカッターモータ５５とが電気的に接続される。これにより、カバー体４が閉じられている場合には、ＣＰＵ１０２からカッター駆動回路７５に対して、２ビットの信号を出力することによって、カッターモータ５５を駆動制御することが可能となる。
一方、上記のように、カバースイッチ４００がＡ選択状態の場合、即ち、カバー体４が開けられて、連動レバー３７が図６の状態に回動した場合には、Ａ側の端子とコモン端子（図１２中、Ｃ側の端子である。）とが接続される。このため、カッター駆動回路７５とカッターモータ５５との電気的接続、即ち配線１１１の電気的接続が遮断されると共に、カッターモータ５５の両端子が短絡される。このため、カッターモータ５５が駆動されている時、即ち、印字用テープ８の切断時に、カバー体４が開けられた場合には、逆起電力によってカッターモータ５５の回転にブレーキがかかり、印字用テープ８を切断している可動刃５４は、原点位置から動いた状態で瞬時に停止される。
【００４４】
次に、このように構成されたテープ印刷装置１の印字済みテープを切断する「切断処理」について図１３に基づいて説明する。図１３はテープ印刷装置１の印字済みテープを切断する「切断処理」を示すフローチャートである。
図１３に示すように、先ず、ステップ（以下、Ｓと略記する）１１において、テープ印刷装置１のＣＰＵ１０２は、印刷済みの印字用テープ８の切断位置が固定刃５３に対向する位置まで搬送されたか否か、即ち、印字用テープ８の切断開始か否かを判定する判定処理を実行する。そして、印字用テープ８の切断開始でない場合には（Ｓ１１：ＮＯ）、ＣＰＵ１０２は、当該「切断処理」を終了する。
【００４５】
一方、印字用テープ８の切断開始の場合には（Ｓ１１：ＹＥＳ）、ＣＰＵ１０２は、Ｓ１２の処理に移行する。Ｓ１２において、ＣＰＵ１０２は、タイマ１０８をリセット後、該タイマー１０８による時間の計測を開始する。また同時に、ＣＰＵ１０２は、カッター駆動回路７５に対してカッターモータ５５の正回転駆動を指示する２ビットの信号を出力して、カッターモータ５５の正回転駆動を開始する。
【００４６】
続いて、Ｓ１３において、ＣＰＵ１０２は、タイマ１０８の計測時間を読み込み、所定時間（例えば、約３秒である。）に達したか否か、即ち、タイムアウトになったか否かを判定する判定処理を実行する。
そして、タイマ１０８の計測時間が所定時間に達した場合、即ち、タイムアウトになった場合には（Ｓ１３：ＹＥＳ）、ＣＰＵ１０２は、Ｓ１４の処理に移行する。Ｓ１４において、ＣＰＵ１０２は、液晶表示器（ＬＣＤ）７に「カッターエラー！」と表示して、可動刃５４の状態が、カバー体４が印字用テープ８の切断中に何らかの理由で開けられた状態のままであることをユーザに報知する。
【００４７】
続いて、Ｓ１５において、ＣＰＵ１０２は、キーボード５又は各種操作用スイッチパネル６の何れかのキーが押下されるのを待つ（Ｓ１５：ＮＯ）。
そして、キーボード５又は各種操作用スイッチパネル６の何れかのキーが押下された場合には（Ｓ１５：ＹＥＳ）、ＣＰＵ１０２は、Ｓ１６の処理に移行する。Ｓ１６において、ＣＰＵ１０２は、当該「切断処理」を終了した後、電源スイッチ７８を介して電源をＯＦＦにする。これにより、ＣＰＵ１０２は、カバー体１４が何らかの理由で開けられてカバースイッチ４００がＢ選択状態（図１２参照）になる等して、カッターモータ５５を駆動できない、即ち、可動刃５４が原点位置から動かないことを検出することが可能となる。
【００４８】
一方、タイマ１０８の計測時間が所定時間に達していない場合、即ち、タイムアウトになっていない場合には（Ｓ１３：ＮＯ）、ＣＰＵ１０２は、Ｓ１７の処理に移行する。Ｓ１７において、ＣＰＵ１０２は、原点位置スイッチ６３がＯＦＦになっているか否かを判定する判定処理を実行する。これにより、ＣＰＵ１０２は、可動刃５４が原点位置から動いたか否かを判定することが可能となる。
そして、原点位置スイッチ６３がＯＦＦになっている場合、即ち、可動刃５４が開いた状態、即ち、可動刃５４が原点位置で停止している場合には（Ｓ１７：ＹＥＳ）、ＣＰＵ１０２は、再度、Ｓ１３以降の処理を実行する。
【００４９】
一方、原点位置スイッチ６３がＯＮになっている場合、即ち、可動刃５４が原点位置から動いている場合には（Ｓ１７：ＮＯ）、ＣＰＵ１０２は、Ｓ１８の処理に移行する。Ｓ１８において、ＣＰＵ１０２は、タイマ１０８の計測時間を読み込み、所定時間（例えば、約３秒である。）に達したか否か、即ち、タイムアウトになったか否かを判定する判定処理を実行する。
そして、タイマ１０８の計測時間が所定時間に達した場合、即ち、タイムアウトになった場合には（Ｓ１８：ＹＥＳ）、ＣＰＵ１０２は、上記Ｓ１４の処理に移行して、該Ｓ１４以降の処理を実行する。
【００５０】
また一方、タイマ１０８の計測時間が所定時間に達していない場合、即ち、タイムアウトになっていない場合には（Ｓ１８：ＮＯ）、ＣＰＵ１０２は、Ｓ１９の処理に移行する。Ｓ１９において、ＣＰＵ１０２は、原点位置スイッチ６３がＯＦＦになっているか否かを判定する判定処理を実行する。これにより、ＣＰＵ１０２は、可動刃５４が原点位置に戻って開いた状態になったか否かを判定することが可能となる。
そして、原点位置スイッチ６３がＯＮになっている場合、即ち、可動刃５４が原点位置から動いている場合には（Ｓ１９：ＮＯ）、ＣＰＵ１０２は、再度、Ｓ１８以降の処理を実行する。
【００５１】
一方、原点位置スイッチ６３がＯＦＦになった場合、即ち、可動刃５４が原点位置に戻って開いた状態になった場合には（Ｓ１９：ＹＥＳ）、ＣＰＵ１０２は、Ｓ２０の処理に移行する。Ｓ２０において、ＣＰＵ１０２は、カッター駆動回路７５に対してカッターモータ５５にブレーキをかけて停止させることを指示する２ビットの信号を出力して、カッターモータ５５の正回転駆動を停止した後、当該「切断処理」を終了する。
【００５２】
次に、テープ印刷装置１の電源入力時にＣＰＵ１０２が実行する「電源ＯＮ時処理」について図１４に基づいて説明する。図１４はテープ印刷装置１の電源入力時にＣＰＵ１０２が実行する「電源ＯＮ時処理」を示すフローチャートである。
図１４に示すように、先ず、Ｓ３１において、ＣＰＵ１０２は、原点位置スイッチ６３がＯＦＦか否かを判定する判定処理を実行する。これにより、ＣＰＵ１０２は、可動刃５４が開いた状態で原点位置に位置しているか否かを判定することが可能となる。
そして、原点位置スイッチ６３がＯＦＦの場合、即ち、可動刃５４が開いた状態で原点位置に位置している場合には（Ｓ３１：ＹＥＳ）、ＣＰＵ１０２は、当該「電源ＯＮ時処理」を終了する。
一方、原点位置スイッチ６３がＯＮの場合、即ち、可動刃５４が原点位置から動いている場合には（Ｓ３１：ＮＯ）、ＣＰＵ１０２は、Ｓ３２の処理に移行する。Ｓ３２において、ＣＰＵ１０２は、タイマ１０８をリセット後、該タイマー１０８による時間の計測を開始する。また同時に、ＣＰＵ１０２は、カッター駆動回路７５に対してカッターモータ５５の正回転駆動を指示する２ビットの信号を出力して、カッターモータ５５の正回転駆動を開始する。
【００５３】
続いて、Ｓ３３において、ＣＰＵ１０２は、タイマ１０８の計測時間を読み込み、所定時間（例えば、約３秒である。）に達したか否か、即ち、タイムアウトになったか否かを判定する判定処理を実行する。
そして、タイマ１０８の計測時間が所定時間に達した場合、即ち、タイムアウトになった場合には（Ｓ３３：ＹＥＳ）、ＣＰＵ１０２は、Ｓ３４の処理に移行する。Ｓ３４において、ＣＰＵ１０２は、液晶表示器（ＬＣＤ）７に「カッターエラー！」、「カバーを閉じて電源ＯＮし直して下さい」と表示して、カバー体４が印字用テープ８の切断中に開けられた状態のままであることをユーザに報知する。
【００５４】
続いて、Ｓ３５において、ＣＰＵ１０２は、キーボード５又は各種操作用スイッチパネル６の何れかのキーが押下されるのを待つ（Ｓ３５：ＮＯ）。
そして、キーボード５又は各種操作用スイッチパネル６の何れかのキーが押下された場合には（Ｓ３５：ＹＥＳ）、ＣＰＵ１０２は、Ｓ３６の処理に移行する。Ｓ３６において、ＣＰＵ１０２は、電源スイッチ７８を介して電源をＯＦＦにした後、当該「電源ＯＮ時処理」を終了する。
【００５５】
また一方、上記Ｓ３３でタイマ１０８の計測時間が所定時間に達していない場合、即ち、タイムアウトになっていない場合には（Ｓ３３：ＮＯ）、ＣＰＵ１０２は、Ｓ３７の処理に移行する。Ｓ３７において、ＣＰＵ１０２は、原点位置スイッチ６３がＯＦＦになっているか否かを判定する判定処理を実行する。これにより、ＣＰＵ１０２は、可動刃５４が原点位置に戻って開いた状態になったか否かを判定することが可能となる。
そして、原点位置スイッチ６３がＯＮになっている場合、即ち、可動刃５４が原点位置から動いている場合には（Ｓ３７：ＮＯ）、ＣＰＵ１０２は、再度、Ｓ３３以降の処理を実行する。
【００５６】
一方、原点位置スイッチ６３がＯＦＦになった場合、即ち、可動刃５４が原点位置に戻って開いた状態になった場合には（Ｓ３７：ＹＥＳ）、ＣＰＵ１０２は、Ｓ３８の処理に移行する。Ｓ３８において、ＣＰＵ１０２は、カッター駆動回路７５に対してカッターモータ５５にブレーキをかけて停止させることを指示する２ビットの信号を出力して、カッターモータ５５の正回転駆動を停止した後、当該「電源ＯＮ時処理」を終了する。
【００５７】
ここで、テープ駆動モータ２４、テープ駆動回路７３、テープ駆動カム２３、ギヤ列８０〜８９、プラテンギヤ９０、押圧ローラ２６、プラテン２５は、搬送手段を構成する。また、カッターモータ５５、カッター駆動回路７５、固定刃５３、可動刃５４、作動板６０、ギヤ列５８、原点位置スイッチ６３は、切断手段を構成する。また、カッターモータ５５は、カッター駆動モータとして機能する。また、カッター駆動回路７５は、モータ駆動回路として機能する。また、カバースイッチ４００、連動レバー３７は、切替手段を構成する。また、液晶表示器７は、報知手段として機能する。また、原点位置スイッチ６３、ＣＰＵ１０２、ＲＯＭ１０４は、切断状態判定手段、切断終了判定手段を構成する。また、ＣＰＵ１０２、ＲＯＭ１０４、ＲＡＭ１０６は、切断制御手段、電源制御手段を構成する。また、原点位置スイッチ６３、電源スイッチ７８、ＣＰＵ１０２、ＲＯＭ１０４は、電源入力時判定手段、復帰状態判定手段を構成する。
【００５８】
従って、実施例１に係るテープ印刷装置１では、カバー体４が、テープカセット２が収納されるカセット収納部３を覆うように開閉可能に取り付けられている。そして、このカバー体４が閉じられた場合には、カバースイッチ４００へ連動レバー３７の下端側が当接してＢ選択状態に設定される。このため、搬送された印字用テープ８を幅方向に切断する可動刃５４を駆動するカッターモータ５５と、このカッターモータ５５を駆動するカッター駆動回路７５とが、ＣＰＵ１０２を介さずに、電気的に接続される。一方、このカバー体４が開けられた場合には、カバースイッチ４００から連動レバー３７が離間してＡ選択状態に設定される。このため、カッターモータ５５とカッター駆動回路７５とが、ＣＰＵ１０２を介さずに、電気的に遮断されると共に、カッターモータ５５の両端子間が短絡される。
これにより、カセット収納部３を覆うようにカバー体４を閉じることによって、カッターモータ５５を駆動することが可能となり、テープ駆動モータ２４やテープ送りローラ１９等を介して搬送された印字用テープ８を幅方向に切断することができる。また、印字用テープ８の切断時に、このカバー体４が開けられた場合には、カバースイッチ４００がＡ選択状態になり、カッターモータ５５とカッター駆動回路７５との電気的接続が、ＣＰＵ１０２を介さずに遮断されると共に、カッターモータ５５の両端子間が短絡される。このため、印字用テープ８の切断時に、カバー体４が何らかの理由で開けられた場合には、カッターモータ５５を瞬時に停止する、即ち、可動刃５４の回動を瞬時に停止することが可能となる。
【００５９】
また、カッターモータ５５の駆動を開始してから所定時間経過するまで、可動刃５４が原点位置に位置した切断待機状態になっている場合には（Ｓ１１：ＹＥＳ〜Ｓ１３：ＮＯ〜Ｓ１７：ＹＥＳ〜Ｓ１３：ＹＥＳ）、ＣＰＵ１０２は、液晶表示器７に「カッターエラー！」と表示して、カッターモータ５５等に異常があることを報知後、何れかのキーが押下された場合には、電源スイッチ７８を介して電源をＯＦＦにする（Ｓ１４〜Ｓ１６）。
これにより、カバー体４が開けられた状態のままで、印字用テープ８の切断を開始した場合には、可動刃５４が原点位置に位置して切断待機状態になっていても、カッターモータ５５とカッター駆動回路７５との電気的接続が遮断されている。このため、カッターモータ５５の駆動を開始してから所定時間経過しても、可動刃５４が切断待機状態になっている場合には、液晶表示器７を介して該カッターモータ５５等に異常がある、即ち、カバー体４が開けられた状態のままであるため切断できないことをユーザへ報知後、電源をＯＦＦにすることができる。従って、ユーザに対してカバー体４を閉じるように促した後、電源をＯＦＦにできる。また、ＣＰＵ１０２は、ユーザが、カバー体４が開けられた状態のままであるため、印字用テープ８を切断できないことを認識したことを、何れかの入力キーの押下によって確実に確認した後、電源をＯＦＦにすることが可能となる。
【００６０】
また、カッターモータ５５の駆動を開始してから所定時間経過するまでに、可動刃５４が原点位置に位置しない、即ち、切断待機状態に戻らない場合には（Ｓ１８：ＮＯ〜Ｓ１９：ＮＯ〜Ｓ１８：ＹＥＳ）、ＣＰＵ１０２は、液晶表示器７に「カッターエラー！」と表示して、カッターモータ５５等に異常があることを報知後、何れかのキーが押下された場合には、電源スイッチ７８を介して電源をＯＦＦにする（Ｓ１４〜Ｓ１６）。
これにより、カバー体４が印字用テープ８の切断中に何らかの理由で開けられた場合には、カッターモータ５５とカッター駆動回路７５との電気的接続が途中で遮断されたため、カッターモータ５５の駆動を開始してから所定時間経過しても、可動刃５４は原点位置に戻らない、即ち、切断待機状態に戻らない。このため、ＣＰＵ１０２は、カッターモータ５５の駆動を開始してから所定時間経過するまでに、可動刃５４が切断待機状態に戻らない場合には、液晶表示器７を介して該カッターモータ５５等に異常があることをユーザへ報知後、電源をＯＦＦにすることができる。即ち、カバー体４が開けられた状態のままであるため切断できないことをユーザへ報知後、電源をＯＦＦにすることができる。また、ＣＰＵ１０２は、ユーザが、カバー体４が開けられた状態のままであるため、印字用テープ８を切断できないことを認識したことを、何れかの入力キーの押下によって確実に確認した後、電源をＯＦＦにすることが可能となる。
【００６１】
また、電源スイッチ７８を介して電源が入力された時に、可動刃５４が原点位置に位置していない、即ち、可動刃５４が切断待機状態になっていない場合には（Ｓ３１：ＮＯ）、ＣＰＵ１０２は、カッターモータ５５の駆動を開始する（Ｓ３２）。そして、ＣＰＵ１０２は、カッターモータ５５の駆動を開始してから所定時間経過するまでに可動刃５４が原点位置に戻った場合には、該カッターモータ５５の駆動を停止する（Ｓ３３：ＮＯ〜Ｓ３８）。
これにより、印字用テープ８の切断中にカバー体４が開けられた後、このカバー体４が閉じられて電源スイッチ７８を介して電源が入力された場合には、可動刃５４を確実に開いて切断待機状態に戻すことが可能となる。
【００６２】
また、電源スイッチ７８を介して電源が入力された時に、カッターモータ５５の駆動を開始してから所定時間経過するまでに、可動刃５４が原点位置に位置しない、即ち、切断待機状態に戻らない場合には（Ｓ３３：ＹＥＳ）、ＣＰＵ１０２は、液晶表示器７に「カッターエラー！」、「カバーを閉じて電源ＯＮし直して下さい」と表示して、カバー体４が開けられた状態のままであることを報知後、何れかのキーが押下された場合には、電源スイッチ７８を介して電源をＯＦＦにする（Ｓ３４〜Ｓ３６）。
これにより、ＣＰＵ１０２は、カッターモータ５５の駆動を開始してから所定時間経過するまでに、可動刃５４が切断待機状態に戻らない場合には、液晶表示器７を介して該カッターモータ５５等に異常があることをユーザへ報知後、電源をＯＦＦにすることができる。即ち、カバー体４が開けられた状態のままであるため、可動刃５４を切断待機状態に戻すことができないことをユーザへ報知後、電源をＯＦＦにすることができる。また、ＣＰＵ１０２は、ユーザが、カバー体４が開けられた状態のままであるため、可動刃５４を切断待機状態に戻すことができないことを認識したことを、何れかの入力キーの押下によって確実に確認した後、電源をＯＦＦにすることが可能となる。
【００６３】
更に、カバースイッチ４００を２接点の機械的スイッチで構成することによって、簡易な構成にすることができ、製造コストの削減化を図ることが可能となる。
【実施例２】
【００６４】
次に、実施例２に係るテープ印刷装置５００について図１５及び図１６に基づいて説明する。尚、以下の説明において上記図１乃至図１４の実施例１に係るテープ印刷装置１の構成等と同一符号は、該実施例１に係るテープ印刷装置１等の構成等と同一あるいは相当部分を示すものである。
実施例２に係るテープ印刷装置５００の概略構成は、実施例１に係るテープ印刷装置１とほぼ同じ構成である。また、テープ印刷装置５００の各種制御処理も実施例１に係るテープ印刷装置１とほぼ同じ制御処理である。
但し、上記「切断処理」（Ｓ１１〜Ｓ２０）に替えて「切断処理２」（図１５参照）が実行される点で異なっている。また、上記「電源ＯＮ時処理」（Ｓ３１〜Ｓ３８）に替えて「電源ＯＮ時処理２」（図１６参照）が実行される点で異なっている。
【００６５】
先ず、実施例２に係るテープ印刷装置５００の印字済みテープを切断する「切断処理２」について図１５に基づいて説明する。図１５は実施例２に係るテープ印刷装置５００の印字済みテープ８を切断する「切断処理２」を示すフローチャートである。
図１５に示すように、Ｓ１１１乃至Ｓ１１３において、ＣＰＵ１０２は、上記Ｓ１１乃至Ｓ１３の処理を実行する。
そして、タイマ１０８の計測時間が所定時間に達した場合、即ち、タイムアウトになった場合には（Ｓ１１３：ＹＥＳ）、ＣＰＵ１０２は、Ｓ１１４の処理に移行する。Ｓ１１４において、ＣＰＵ１０２は、上記Ｓ１４の処理を実行する。
【００６６】
その後、、Ｓ１１５において、ＣＰＵ１０２は、タイマ１０８をリセット後、該タイマー１０８による時間の計測を開始する。
続いて、Ｓ１１６において、ＣＰＵ１０２は、タイマ１０８の計測時間を所定時間毎に（例えば、約１００ｍ秒毎である。）読み込み、この計測時間が所定時間に達するのを待つ（Ｓ１１６：ＮＯ）。即ち、ＣＰＵ１０２は、液晶表示器（ＬＣＤ）７に「カッターエラー！」と表示してから所定表示時間（例えば、約１０秒である。）が経過するのを待つ。
そして、所定表示時間が経過した場合には（Ｓ１１６：ＹＥＳ）、Ｓ１１７において、ＣＰＵ１０２は、上記Ｓ１６の処理を実行後、当該「切断処理２」を終了する。
【００６７】
一方、上記Ｓ１１３でタイマ１０８の計測時間が所定時間に達していない場合、即ち、タイムアウトになっていない場合には（Ｓ１１３：ＮＯ）、ＣＰＵ１０２は、Ｓ１１８の処理に移行する。
そして、Ｓ１１８乃至Ｓ１２１において、ＣＰＵ１０２は、上記Ｓ１７乃至Ｓ２０の処理を実行後、当該「切断処理２」を終了する。
【００６８】
次に、テープ印刷装置５００の電源入力時にＣＰＵ１０２が実行する「電源ＯＮ時処理２」について図１６に基づいて説明する。図１６は実施例２に係るテープ印刷装置５００の電源入力時にＣＰＵ１０２が実行する「電源ＯＮ時処理２」を示すフローチャートである。
図１６に示すように、Ｓ１３１乃至Ｓ１３３において、ＣＰＵ１０２は、上記Ｓ３１乃至Ｓ３３の処理を実行する。そして、タイマ１０８の計測時間が所定時間（例えば、約３秒である。）に達した場合、即ち、タイムアウトになった場合には（Ｓ１３３：ＹＥＳ）、ＣＰＵ１０２は、Ｓ１３４の処理に移行する。Ｓ１３４において、ＣＰＵ１０２は、上記Ｓ３４の処理を実行する。
【００６９】
その後、Ｓ１３５において、ＣＰＵ１０２は、タイマ１０８をリセット後、該タイマー１０８による時間の計測を開始する。
続いて、Ｓ１３６において、ＣＰＵ１０２は、タイマ１０８の計測時間を所定時間毎に（例えば、約１００ｍ秒毎である。）読み込み、この計測時間が所定時間に達するのを待つ（Ｓ１３６：ＮＯ）。即ち、ＣＰＵ１０２は、液晶表示器（ＬＣＤ）７に「カッターエラー！」」、「カバーを閉じて電源ＯＮし直して下さい」と表示してから所定表示時間（例えば、約１０秒である。）が経過するのを待つ。
そして、所定表示時間が経過した場合には（Ｓ１３６：ＹＥＳ）、Ｓ１３７において、ＣＰＵ１０２は、上記Ｓ３６の処理を実行後、当該「電源ＯＮ時処理２」を終了する。
【００７０】
また一方、上記Ｓ１３３でタイマ１０８の計測時間が所定時間に達していない場合、即ち、タイムアウトになっていない場合には（Ｓ１３３：ＮＯ）、ＣＰＵ１０２は、Ｓ１３８の処理に移行する。
そして、Ｓ１３８及びＳ１３９において、ＣＰＵ１０２は、上記Ｓ３７及びＳ３８の処理を実行後、当該「電源ＯＮ時処理２」を終了する。
【００７１】
従って、実施例２に係るテープ印刷装置５００では、カバー体４が、テープカセット２が収納されるカセット収納部３を覆うように開閉可能に取り付けられている。そして、このカバー体４が閉じられた場合には、カバースイッチ４００へ連動レバー３７の下端側が当接してＢ選択状態に設定される。このため、搬送された印字用テープ８を幅方向に切断する可動刃５４を駆動するカッターモータ５５と、このカッターモータ５５を駆動するカッター駆動回路７５とが、ＣＰＵ１０２を介さずに、電気的に接続される。一方、このカバー体４が開けられた場合には、カバースイッチ４００から連動レバー３７が離間してＡ選択状態に設定される。このため、カッターモータ５５とカッター駆動回路７５とが、ＣＰＵ１０２を介さずに、電気的に遮断されると共に、カッターモータ５５の両端子間が短絡される。
これにより、カセット収納部３を覆うようにカバー体４を閉じることによって、カッターモータ５５を駆動することが可能となり、テープ駆動モータ２４やテープ送りローラ１９等を介して搬送された印字用テープ８を幅方向に切断することができる。また、印字用テープ８の切断時に、このカバー体４が開けられた場合には、カバースイッチ４００がＡ選択状態になり、カッターモータ５５とカッター駆動回路７５との電気的接続が、ＣＰＵ１０２を介さずに遮断されると共に、カッターモータ５５の両端子間が短絡される。このため、印字用テープ８の切断時に、カバー体４が何らかの理由で開けられた場合には、カッターモータ５５を瞬時に停止する、即ち、可動刃５４の回動を瞬時に停止することが可能となる。
【００７２】
また、カッターモータ５５の駆動を開始してから所定時間経過するまで、可動刃５４が原点位置に位置した切断待機状態になっている場合には（Ｓ１１２〜Ｓ１１３：ＮＯ〜Ｓ１１８：ＹＥＳ〜Ｓ１１３：ＹＥＳ）、ＣＰＵ１０２は、液晶表示器７に「カッターエラー！」と表示して、カッターモータ５５等に異常があることを報知後、所定表示時間が経過した場合には、電源スイッチ７８を介して電源をＯＦＦにする（Ｓ１１４〜Ｓ１１７）。
これにより、カバー体４が開けられた状態のままで、印字用テープ８の切断を開始した場合には、可動刃５４が原点位置に位置して切断待機状態になっていても、カッターモータ５５とカッター駆動回路７５との電気的接続が遮断されている。このため、カッターモータ５５の駆動を開始してから所定時間経過しても、可動刃５４が切断待機状態になっている場合には、液晶表示器７を介して該カッターモータ５５等に異常がある、即ち、カバー体４が開けられた状態のままであるため切断できないことをユーザへ報知後、電源をＯＦＦにすることができる。従って、ユーザに対してカバー体４を閉じるように促した後、電源をＯＦＦにできる。また、ＣＰＵ１０２は、ユーザが、カバー体４が開けられた状態のままであるため、印字用テープ８を切断できないことを確認可能な時間を確実に確保した後、電源をＯＦＦにすることが可能となる。
【００７３】
また、カッターモータ５５の駆動を開始してから所定時間経過するまでに、可動刃５４が原点位置に位置しない、即ち、切断待機状態に戻らない場合には（Ｓ１１９：ＮＯ〜Ｓ１２０：ＮＯ〜Ｓ１１９：ＹＥＳ）、ＣＰＵ１０２は、液晶表示器７に「カッターエラー！」と表示して、カッターモータ５５等に異常があることを報知後、所定表示時間が経過した場合には、電源スイッチ７８を介して電源をＯＦＦにする（Ｓ１１４〜Ｓ１１７）。
これにより、カバー体４が印字用テープ８の切断中に開けられた場合には、カッターモータ５５とカッター駆動回路７５との電気的接続が途中で遮断されたため、カッターモータ５５の駆動を開始してから所定時間経過しても、可動刃５４は原点位置に戻らない、即ち、切断待機状態に戻らない。このため、カッターモータ５５の駆動を開始してから所定時間経過するまでに、可動刃５４が切断待機状態に戻らない場合には、液晶表示器７を介して該カッターモータ５５等に異常がある、即ち、カバー体４が開けられた状態のままであるため切断できないことをユーザへ報知後、電源をＯＦＦにすることができる。また、ＣＰＵ１０２は、ユーザが、カバー体４が開けられた状態のままであるため、印字用テープ８を切断できないことを確認可能な時間を確実に確保した後、電源をＯＦＦにすることが可能となる。
【００７４】
また、電源スイッチ７８を介して電源が入力された時に、可動刃５４が原点位置に位置していない、即ち、可動刃５４が切断待機状態になっていない場合には（Ｓ１３１：ＮＯ）、ＣＰＵ１０２は、カッターモータ５５の駆動を開始する（Ｓ１３２）。そして、ＣＰＵ１０２は、カッターモータ５５の駆動を開始してから所定時間経過するまでに可動刃５４が原点位置に戻った場合には、該カッターモータ５５の駆動を停止する（Ｓ１３３：ＮＯ〜Ｓ１３９）。
これにより、印字用テープ８の切断中にカバー体４が開けられた後、このカバー体４が閉じられて電源スイッチ７８を介して電源が入力された場合には、可動刃５４を確実に開いて切断待機状態に戻すことが可能となる。
【００７５】
また、電源スイッチ７８を介して電源が入力された時に、カッターモータ５５の駆動を開始してから所定時間経過するまでに、可動刃５４が原点位置に位置しない、即ち、切断待機状態に戻らない場合には（Ｓ１３３：ＹＥＳ）、ＣＰＵ１０２は、液晶表示器７に「カッターエラー！」、「カバーを閉じて電源ＯＮし直して下さい」と表示して、カバー体４が開けられた状態のままであることを報知後、所定表示時間が経過した場合には、電源スイッチ７８を介して電源をＯＦＦにする（Ｓ１３４〜Ｓ１３７）。
これにより、ＣＰＵ１０２は、カッターモータ５５の駆動を開始してから所定時間経過するまでに、可動刃５４が切断待機状態に戻らない場合には、液晶表示器７を介して該カッターモータ５５等に異常がある、即ち、カバー体４が開けられた状態のままであるため、可動刃５４を切断待機状態に戻すことができないことをユーザへ報知後、電源をＯＦＦにすることができる。また、ＣＰＵ１０２は、ユーザが、カバー体４が開けられた状態のままであるため、可動刃５４を切断待機状態に戻すことができないことを確認可能な時間を確実に確保した後、電源をＯＦＦにすることが可能となる。
【００７６】
更に、カバースイッチ４００を２接点の機械的スイッチで構成することによって、簡易な構成にすることができ、製造コストの削減化を図ることが可能となる。
【００７７】
尚、本発明は前記実施例１及び実施例２に限定されることはなく、本発明の要旨を逸脱しない範囲内で種々の改良、変形が可能であることは勿論である。
【図面の簡単な説明】
【００７８】
【図１】実施例１に係るテープ印刷装置の概略平面図である。
【図２】蓋体を省略したカセットの正面図である。
【図３】テープカセットに内蔵した印字用テープの種類等を検出する機構を示す断面図である。
【図４】本体１Ａ内の機械的機構部の平面図である。
【図５】プラテンホルダをリリースした状態の平面図である。
【図６】カバー体を開いた状態の側断面図である。
【図７】カバー体の動作とプラテンホルダ及び押圧ホルダの連動機構部の平面図である。
【図８】カバー体を閉じた状態の側断面図である。
【図９】図８のIX−IX矢視図である。
【図１０】印字用テープの切断機構の正面図である。
【図１１】実施例１に係るテープ印刷装置の制御構成を示すブロック図である。
【図１２】カッターモータを駆動する回路構成を模式的に示す図である。
【図１３】実施例１に係るテープ印刷装置の印字済みテープを切断する「切断処理」を示すフローチャートである。
【図１４】実施例１に係るテープ印刷装置の電源入力時にＣＰＵが実行する「電源ＯＮ時処理」を示すフローチャートである。
【図１５】実施例２に係るテープ印刷装置の印字済みテープを切断する「切断処理２」を示すフローチャートである。
【図１６】実施例２に係るテープ印刷装置の電源入力時にＣＰＵが実行する「電源ＯＮ時処理２」を示すフローチャートである。
【符号の説明】
【００７９】
１、５００        テープ印刷装置
２                テープカセット
３                カセット収納部
４                カバー体
５                キーボード
７                液晶表示器（ＬＣＤ）
８                印字用テープ
１３Ａ            サーマルヘッド
２４              テープ駆動モータ
３７              連動レバー
５２              切断機構
５３              固定刃
５４              可動刃
５５              カッターモータ
６３              原点位置スイッチ
７５              カッター駆動回路
７８              電源スイッチ
１０１            制御回路部
１０２            ＣＰＵ
１０４            ＲＯＭ
１０６            ＲＡＭ
１０８            タイマ
４００            カバースイッチ
【図１】
2008213405.tif 000003
【図２】
2008213405.tif 000004
【図３】
2008213405.tif 000005
【図４】
2008213405.tif 000006
【図５】
2008213405.tif 000007
【図６】
2008213405.tif 000008
【図７】
2008213405.tif 000009
【図８】
2008213405.tif 000010
【図９】
2008213405.tif 000011
【図１０】
2008213405.tif 000012
【図１１】
2008213405.tif 000013
【図１２】
2008213405.tif 000014
【図１３】
2008213405.tif 000015
【図１４】
2008213405.tif 000016
【図１５】
2008213405.tif 000017
【図１６】
2008213405.tif 000018